(57)【要約】【課題】製作容易でありながら、家畜の体躯に合わせて取付位置及び取付本数を調節できる杆部材を提供する。また、斯様な杆部材を取り付けた柵を提供する。【解決手段】一端が封止され他端が開口した外筒１１と、外筒１１に摺動自在に内嵌された摺動部材１７を突出付勢するばね１４と、両端に突設された係止突起１５，２０とを具えた杆部材１０である。また、その係止突起１５，２０を係合穴に嵌入すると共に封止端１２及び突出端１８を固定杆に当接することにより、杆部材１０を着脱自在に取り付けた柵である。家畜の体躯に合わせて杆部材１０，…の取付位置及び取付本数を調節することにより、家畜が自然な姿勢で摂食することが可能となり、その逃走を防止することもできる。成育過程にある家畜を同一の柵内で飼育し続け、又は体躯の異なる複数頭の家畜を同時に同一柵内で飼育するのにも適する。【選択図】図２
0003165465.tif 000002
【実用新案登録請求の範囲】
【請求項１】
一端が封止され他端が開口した外筒、外筒に摺動自在に内嵌された摺動部材、外筒に内蔵され摺動部材を外筒の開口端から突出させる向きに付勢するばね、並びに、外筒の封止端及び摺動部材の突出端から軸方向外方に突設された係止突起を具えてなることを特徴とする杆部材。
【請求項２】
外筒の封止端からその内部に突設されると共に、先端を拡開してストッパー部を設けた軸棒を有し、
摺動部材が中空筒状に形成されると共に、その突出端とは別の端部にはストッパー部より小径で軸棒に外嵌する摺動孔が穿設されてなり、
ばねが、軸棒に巻装されたコイルスプリングであることを特徴とする請求項１に記載の杆部材。
【請求項３】
２本の固定杆の相互対向する位置にそれぞれ穿設された係合穴と、
係合穴に係止突起を嵌入すると共に、外筒の封止端及び摺動部材の突出端を前記固定杆に当接することにより、着脱自在に取り付けられた請求項１又は請求項２に記載の杆部材と
を具えてなることを特徴とする柵。
【考案の詳細な説明】
【技術分野】
【０００１】
本考案は、杆部材及び該杆部材を取り付けた柵に関する。
【背景技術】
【０００２】
家畜の飼育に用いられる柵は、それぞれ複数本の縦杆及び横杆（以下これらを総称して固定杆と称する）で構成される。柵には、通常、家畜に餌や水を与えるための空隙が設けられていて、当該空隙を区画する馬柵棒と呼ばれる杆部材を取り付けて、家畜の摂食を許容しつつその逃走を防止する構成とされる。馬柵棒は、特定の高さで柵に横設固定されるのが一般的だが、その高さが家畜の体躯に合っていない場合には、家畜が自由に摂食できずにストレスを受け、又は、頸が擦れたり瘤ができたりして家畜が体を傷める問題があった。
【０００３】
縦格子状に適当間隔で並列される金属管の上下と接手を介し金属管を連結して牛房本体とし、当該本体の正面にて所定間隔で相隣の金属管相互間に摺動自在に接手を介して上下２本の上記各金属管と同質の横軸を架設し、各横軸の下部にて金属管上に接手を介して摺動自在に金属管と同質材による給餌受枠を装着させ、横軸、給餌受枠は表面を樹脂被覆せる金属管とし接手も樹脂加工にてなる牛房が開示されている（例えば、特許文献１参照）。当該横軸は、家畜の頸で押し上げられ又は押し付けられることにより高さ位置が変わる様にされている。したがって、成育過程の家畜であっても、その体躯に合わせて横軸の高さ位置を変え、自然な姿勢で摂食できるとされる。
【先行技術文献】
【特許文献】
【０００４】
【特許文献１】実開昭５５−２５４３０号公報
【考案の概要】
【考案が解決しようとする課題】
【０００５】
しかしながら、上記特許文献１に記載の横軸は、家畜の逃走を防止する馬柵棒本来の機能を有していない。当該文献に例示される牛房は、横軸及び給餌受枠の何れもが金属管に対して上下摺動自在とされており、幼いウシがそれらを押し上げ逃走する虞を孕んでいる。逃走を防ぐためには、ウシの首は通しても胴体を通さない間隔で金属管が設けられていなければならず、成育過程にあるウシは、その成長に合わせて当該間隔の広い牛房に順次移していく必要があった。
【０００６】
当該牛房は、ウシ自身が横軸及び給餌受枠の高さを変えられる構成であるため、複数のウシを同一柵内で飼育すると、体躯が大きく力の強いウシのみが自由に摂食し、ウシの成育に大きな個体差を生じる虞があった。
母ウシと同一柵内で飼育されている仔ウシに離乳のための固形飼料を与えたとしても、母ウシが横軸及び給餌受枠の高さ位置を変えて当該固形飼料を食べてしまい、仔ウシの離乳が進まない事態を招く。従来の一般的な畜房でも同様の問題があり、飼育者が柵に設けた扉を開けて、ウシの逃走を防ぎつつ仔ウシのみを柵外に連れ出し固形飼料を与える必要があり、多大な労力を要していた。
【０００７】
また、上記特許文献１に記載の横軸は、他の構成を伴わずにその高さ位置を設定できるものであり、これは金属管と接手との摺動摩擦を利用して所定高さ位置に保持されることを意味する。摺動摩擦が大きい場合には、横軸を押し上げ又は押し下げる度に家畜の頸に大きな負荷が掛かるために、家畜が体を傷め、又は家畜が喉を圧迫され自由摂食を阻まれて大きなストレスを受ける虞がある。一方、摺動摩擦が小さい場合には、横軸は容易に下降してしまい、その用を成さない。頸の上方の横軸に至っては、ウシが首を通した後に下降してしまい、首を抜く際に角に引っ掛かり、ウシの体を傷付ける虞がある。これらの問題点を回避するためには、長期の使用によっても常に適切な摺動摩擦が維持されねばならず、精密な加工が必要である。
【０００８】
上記問題点に鑑み、本考案は、家畜の逃走を防止しつつ当該家畜の自然な姿勢での摂食を可能とする、製作容易な杆部材を提供することを課題とする。また、成育過程の家畜を同一柵内で飼育し続け、又は体躯の異なる複数の家畜を同時に飼育することを可能とする柵を提供することを課題とする。
【課題を解決するための手段】
【０００９】
上記課題を解決するために、本考案の考案者らは杆部材を柵に着脱自在に取り付けることを着想し、鋭意検討を重ねた結果、本考案を完成させるに至った。
【００１０】
即ち、第１の考案は、一端が封止され他端が開口した外筒、外筒に摺動自在に内嵌された摺動部材、外筒に内蔵され摺動部材を外筒の開口端から突出させる向きに付勢するばね、並びに、外筒の封止端及び摺動部材の突出端から軸方向外方に突設された係止突起を具えた杆部材である。
【００１１】
第２の考案は、第１の考案に係る杆部材であって、
外筒の封止端からその内部に突設されると共に、先端を拡開してストッパー部を設けた軸棒を有し、
摺動部材が中空筒状に形成されると共に、その突出端とは別の端部にはストッパー部より小径で軸棒に外嵌する摺動孔が穿設されてなり、
ばねが、軸棒に巻装されたコイルスプリングである。
【００１２】
第３の考案は、
２本の固定杆の相互対向する位置にそれぞれ穿設された係合穴と、
係合穴に係止突起を嵌入すると共に、外筒の封止端及び摺動部材の突出端を前記固定杆に当接することにより、着脱自在に取り付けられた第１又は第２の考案に係る杆部材とを具えた柵である。
【考案の効果】
【００１３】
本考案の杆部材は、外筒に摺動自在に内嵌された摺動部材が外筒の開口端から突出する向きに付勢されているから、伸縮自在であり、且つばねの付勢力により自ずと伸長する様に構成されている。短縮した状態で２本の固定杆の間に配置した後、両端に設けられた係止突起を前記固定杆の係合穴に嵌入させつつ伸長させ、両端を２本の固定杆にそれぞれ当接すると、該両端が固定杆に押圧され、杆部材は着脱自在且つ安定に柵に取り付けられる。前記係合穴を穿設するのみで既存の柵にも容易に取り付け可能であり、縦杆及び横杆の何れに係合穴を穿設するかにより、縦横何れの方向にも取り付けられる。前記固定杆に複数対の係合穴を穿設すると、その取付位置及び取付本数を容易に調節できる。
【００１４】
家畜の体躯に合わせて、飼育者が杆部材の取付位置及び取付本数を調節することにより、家畜の逃走を防止しつつ、該家畜に自然な姿勢で摂食させることができる。例えば、家畜の自然な姿勢での摂食を可能とし、且つ、家畜が屈んで通り抜けられない高さ位置に、杆部材を略水平方向に取り付ければ良い。また例えば、柵の空隙に縦方向に杆部材を取り付け、家畜の頸に杆部材が当らない様にして負荷を回避することもできる。杆部材は柵に安定に取り付けられるから、家畜自身がそれを動かして逃走することができず、また首を通した後に杆部材が意図せず動いて家畜の体を傷付ける虞も無い。
【００１５】
また、本考案の杆部材は、シンプルな構成であり、製作容易である。ボルト，ナット等の家畜の怪我の原因となり得る部材を一切用いずに柵に取り付け又は取り外すことができ、また、杆部材自体も斯様な部材を含まないから、家畜が怪我をする虞を低減できる。
【００１６】
第２の考案によれば、ストッパー部により摺動部材の摺動が規制されるから、柵から取り外した杆部材を、摺動部材の意図しない摺動や外筒からの脱落を懸念せずに安心して取り扱うことができる。また、摺動部材が中空構造とされているから、軽量であり、取扱や運搬が容易である。
【００１７】
本考案の柵は、上記特徴を有する杆部材が２本の固定杆間に着脱自在に取り付けられているから、上記杆部材による効果を奏する。
【００１８】
また、飼育者が家畜の体躯に合わせて杆部材の高さ位置及び本数を調節することにより、家畜の体躯の変化にも対応できるから、成育過程にある家畜を同一の柵内で飼育し続けることにも適する。
【００１９】
本考案の柵は、複数頭の家畜を同一柵内で同時に飼育することにも適する。例えば、柵に２箇所の空隙を設け、その一方には大きな家畜に適した高さ位置に杆部材を取り付け、他方には、小さな家畜に適した高さ位置に杆部材を取り付けると共に、小さな家畜の体高以上の高さ位置に複数本の杆部材を横設して大きな家畜が首を通せない様にする。これにより大小何れの家畜も自由な摂食が可能となり、食餌量の偏りのために、成育に個体差を生じることが回避される。また、例えば、家畜の母が通れず仔のみが通り抜けられる空隙を設け、該空隙に杆部材を着脱自在に取り付けると、通常は母仔とも柵外に出られないが、杆部材を外すと仔のみが柵外に出られる様になる。斯様な柵によれば、前記空隙に連通する柵外の房に固形飼料を置き、該固形飼料を仔にのみ与えることができるから、仔の離乳を効率的に進めることができる。
【００２０】
本考案の柵によれば、杆部材を取り付けた空隙から、人が柵に出入りすることもできる。一般的な柵には、通常１箇所の扉が設けられているのみであって、柵内の清掃や家畜の診断，治療等のためには当該扉を開ける必要があった。扉を開ける際には家畜の逃走を防ぐ必要があるが、力の強い家畜を従わせ又は複数の家畜に注意を払うことは困難であって、扉を開く度に複数人で作業を行う必要があった。本考案の柵によれば、一部の杆部材を取り外すのみで柵内に入れるから、家畜の逃走に注意を払いながら扉を開閉する必要が無く、それに伴う労力が軽減される。更に、柵の複数の空隙を設けてそれぞれに杆部材を取り付けると、近い位置の空隙から迅速に柵内に出入りできるから、柵の扉まで歩く労力が不要であり、緊急時にも迅速に柵内に入れる。畜産従事者の高齢化が進み、且つその人数が減少している現状では、特に有用である。
【図面の簡単な説明】
【００２１】
【図１】本考案の杆部材を示す斜視図である。
【図２】本考案の杆部材を示す正面視断面図である。
【図３】本考案の柵を示す斜視図である。
【図４】本考案の柵を示す要部正面視断面図である。
【考案を実施するための形態】
【００２２】
以下に、本考案を実施するための形態を、実施例を示す図面を参照して詳細に説明する。尚、本考案は、以下の実施例に限定されるものではない。
【実施例１】
【００２３】
本考案の杆部材１０は、図１及び図２に示される様に、一端が封止され他端が開口した外筒１１、外筒１１に摺動自在に内嵌された摺動部材１７、外筒１１に内蔵され摺動部材１７を外筒１１の開口端１３から突出させる向きに付勢するばね１４、並びに、外筒１１の封止端１２及び摺動部材１７の突出端１８から軸方向外方に突設された係止突起１５，２０を具えている。
【００２４】
杆部材１０は、ばねを除き、剛性を有する材質で作製される。その材質は特に限定されず、鉄，アルミニウム等の金属、炭素鋼，ステンレス鋼，黄銅等の合金，ポリエチレン，ポリプロピレン，ポリ塩化ビニル，ポリメタクリル酸エステル等の合成樹脂、木材又は竹材を用いることができるが、好ましくは、構造堅牢とするために金属又は合金で作製される。
【００２５】
外筒１１は略円筒状の部材であって、その封止端１２からは、外方に向け係止突起１５が及び内方に向け軸棒１６が、それぞれ杆部材１０軸上に突設されている。外筒１１の形状は特に限定されず、円形，楕円形，多角形その他任意の断面形状に形成されていても良い。
【００２６】
係止突起１５は、先端が半球状に形成された略円柱状の突起である。係止突起１５の形状は、略柱状であれば特に限定されず、円形，楕円形，多角形その他任意の断面形状に形成されていても良いが、柵１の固定杆に設けられた係合穴（後述）にスムーズに嵌脱できる円柱状に形成されることが好ましい。また、同様の理由により、係止突起１５は、その稜が面取りされていることが好ましく、その先端は、半球状その他の丸味を帯びた形状に形成されていることがより好ましい。
【００２７】
軸棒１６は略円柱状に形成され、その開口端１３側の先端は拡開されて、円板状のストッパー部１６ａが形成されている。軸棒１６の形状は、略柱状であれば特に限定されず、円形，楕円形，多角形その他任意の断面形状に形成されていても良い。また、ストッパー部１６ａの形状は、摺動孔１９ａの縁部１９ｂ（後述）に係合することにより摺動部材１７の摺動を規制し脱落を防ぐことができれば、必ずしも円板状に限られず、例えば、楕円形状若しくは任意多角形状の板状に形成されていても良く、また例えば、軸棒１６の先端側に向け徐々に幅広く形成された円錐台状に形成されていても良い。
【００２８】
摺動部材１７は、両端が封止された円筒状の部材であって、外筒１１に摺動自在に且つそれと軸を等しくして内嵌されている。外筒１１の開口端１３側に配置された突出端１８からは、係止突起２０が、外方に向け杆部材１０軸上に突設されている。一方、突出端１８とは別の端部、即ち非突出端１９には、杆部材１０軸上に摺動孔１９ａが穿設されている。摺動部材１７の形状は、外筒１１に内嵌可能であれば特に限定されず、円形，楕円形，多角形その他任意の断面形状に形成されていても良い。また、摺動部材１７は必ずしも中空筒状に形成されることに限られず、中実柱状に形成することもできるが、杆部材１０の軽量化のため中空筒状とされることが好ましい。
【００２９】
係止突起２０は、先端が半球状に形成された略円柱状の突起である。係止突起２０の形状は、略柱状であれば特に限定されず、円形，楕円形，多角形その他任意の断面形状に形成されていても良いが、係止突起１５と同様に、係合穴２ａにスムーズに嵌脱できる円柱状に形成されることが好ましい。また、同様の理由により、係止突起２０は、その稜が面取りされていることが好ましく、その先端は、半球状その他の丸味を帯びた形状に形成されていることがより好ましい。
【００３０】
摺動孔１９ａは、軸棒１６に摺動自在に外嵌され、ストッパー部１６ａよりは小径に形成されている。摺動孔１９ａの縁部１９ｂがストッパー部１６ａに当接することにより、摺動部材１７は、その摺動が規制され、外筒１１から脱落しない様に構成されている。摺動部材１７を中実柱状とする場合には、ストッパー部１６ａに代わり摺動部材１７の摺動を規制する構造として、例えば、摺動部材１７の突出端１８側を小径にして段差を設けると共に、外筒１１の開口端１３側内周を肉厚にして段差を設け、両段差を相互係合させる様にしても良い。
【００３１】
軸棒１６には、ばね１４としてのコイルスプリングが巻装されている。該コイルスプリングは、一端が封止端１２内面に当接されると共に他端が非突出端１９に当接された圧縮ばねであって、外力で押し込まれた摺動部材１７を開口端１３側に突出付勢する機能を有する（図４参照）。このため、杆部材１０は伸縮可能であって、ストッパー部１６ａに縁部１９ｂが当接するまで、又は封止端１２及び突出端１８が共に固定杆に当接するまで自ずと伸長する。摺動部材１７を付勢するばね１４は、必ずしもコイルスプリングに限られず、皿ばね，板ばね，竹の子ばねその他のばねを用いることができる。
【実施例２】
【００３２】
次に、本考案の柵１について説明する。柵１は、図３及び図４に示される様に、２本の固定杆たる縦杆２，２の相互対向する位置にそれぞれ穿設された係合穴２ａ，２ａと、係合穴２ａ，２ａに係止突起１５，２０を嵌入すると共に封止端１２及び突出端１８を縦杆２，２に当接することにより、着脱自在に取り付けられた杆部材１０，１０とを具えている。
【００３３】
柵１は、複数の縦杆２，…と複数の横杆３，…とを相互連結して構成されている。一部の横杆３，…は、給餌器又は給水器５を取り付ける縦杆２とその隣の縦杆２との間が切除されていて、それによって空隙４が形成されている。当該縦杆２，２間には、空隙４を区画する杆部材１０，１０が取り付けられていて、家畜６は、杆部材１０，１０の間から首を入れて摂食することができる。
【００３４】
係合穴２ａ，２ａは、係止突起１５及び係止突起２０の何れよりも大径で、且つ封止端１２及び突出端１８の何れよりも小径に形成された円形の穴である。係合穴２ａ，２ａの形状は特に限定されないが、係止突起１５，２０の断面形状に略等しく形成されることが好ましく、また、係止突起１５，２０をスムーズに嵌入できる様に凹稜を持たないことが好ましい。短縮させた状態で２本の縦杆２，２の間に配置した後、両端に設けられた係止突起１５，２０を係合穴２ａ，２ａにそれぞれ嵌入させつつ伸長させると、杆部材１０は、封止端１２及び突出端１８が縦杆２，２に当接されるまで伸長し、当該封止端１２及び突出端１８が縦杆２，２に押圧されて柵１に取り付けられる。これにより、杆部材１０は、着脱自在且つ安定に柵に取り付けられ、しかも家畜が自由にその位置を変えることはできない。再び短縮させると、杆部材１０は、柵１から容易に取り外すことができる。
【００３５】
縦杆２，２は、図３及び図４においては角パイプとして図示するが、係止突起１５，２０を嵌入可能な係合穴２ａ，２ａが穿設できれば必ずしもこれに限定されず、任意形状の中空筒状体又は中実柱体であって良い。また、２対以上の係合穴２ａ，…が穿設されていても良く、この場合、家畜６の体躯に合った高さ位置に杆部材１０を取り付け、又は、同時に複数の杆部材１０，…を取り付けることが可能となる。例えば、家畜６の前脚の付け根程度の高さ位置に杆部材１０を１本のみ取り付けることも、それに加えて下方に複数本の杆部材１０，…を更に取り付けることもでき、更には家畜６の成長に合わせてそれらの高さ位置を変えることも可能である。
【００３６】
尚、上記から明らかな様に、杆部材１０は、既存の柵にも取り付けられる。杆部材１０の取付には特殊な加工は不要であって、当該柵の固定杆に係合穴２ａ，…を穿設するのみで足りる。また、本考案は、必ずしも縦杆２，２に係合穴２ａ，…を穿設し杆部材１０を略水平方向に横設することに限られず、横杆３，３に同様の係合穴を穿設して、杆部材１０を縦方向に取り付けることも可能である。また、柵１に複数の空隙４，…を設け、それぞれに杆部材１０，…を取り付けることもできる。
【符号の説明】
【００３７】
１  柵
２  縦杆
２ａ  係合穴
３  横杆
４  空隙
５  給餌器又は給水器
６  家畜
１０  杆部材
１１  外筒
１２  封止端
１３  開口端
１４  ばね
１５，２０  係止突起
１６  軸棒
１６ａ  ストッパー部
１７  摺動部材
１８  突出端
１９  非突出端
１９ａ  摺動孔
１９ｂ  縁部
【図１】
0003165465.tif 000003
【図２】
0003165465.tif 000004
【図３】
0003165465.tif 000005
【図４】
0003165465.tif 000006